(57)【要約】  【課題】カラオケ利用者の歌唱を喚起する動機付けの面で、カラオケ楽曲の演奏時、個々の利用者が好むアーティストについて特別に用意された専用の背景映像を有効に活用できるカラオケシステムの提供。  【解決手段】利用者ＩＤ毎に楽曲の歌唱履歴を記録し、任意の利用者が所定のアーティストの楽曲を予め設定された所定回数以上歌唱した場合に限り、当該利用者による当該アーティストのカラオケ楽曲の演奏時に、汎用性のある通常の背景映像データとは別に、特別に用意した当該アーティスト専用の背景映像データを抽出して表示させるカラオケシステムを構築した。【選択図】図１
2006154275.tif 000002
【特許請求の範囲】
【請求項１】
利用者を特定するための利用者ＩＤ識別手段と、利用者ＩＤ毎に楽曲の歌唱履歴を記録している利用者別歌唱履歴記録部と、汎用性のある通常の背景映像データを記録している第１映像記録部と、所定のアーティストについて特別に用意した専用の背景映像データを記録している第２映像記録部と、任意のカラオケ楽曲の演奏時、前記第１映像記録部または前記第２映像記録部の何れか一方の記録部から、その背景映像データを抽出して表示させるための背景映像データ抽出手段と、これらの手段を統括的に制御するための中央制御手段と、を具備したカラオケシステムであって、
前記背景映像データ抽出手段が、前記利用者別歌唱履歴に基づき、任意の利用者が所定のアーティストの楽曲を予め設定された所定回数以上歌唱した場合に限り、当該利用者による当該アーティストのカラオケ楽曲の演奏時に、前記第２映像記録部から、当該アーティストについて前記特別に用意した専用の背景映像データを抽出して表示させてなるカラオケシステム。
【請求項２】
前記利用者別歌唱履歴記録部が、所定のカラオケ演奏装置にネットワーク接続されたカラオケホスト装置内に設置されてなる請求項１記載のカラオケシステム。
【発明の詳細な説明】
【技術分野】
【０００１】
本発明は、カラオケ利用者の歌唱を喚起する動機付けのため、カラオケ楽曲の演奏時、所定の条件を満たした利用者に対してのみ、その好みのアーティストについて特別に用意された専用の背景映像を表示するカラオケシステムに関する。
【背景技術】
【０００２】
従来のカラオケシステムでは、カラオケ楽曲演奏時の視覚効果を狙い、楽曲のイメージに合った背景映像を表示させている。ところで、一般的に、背景映像データは動画データであるため、楽曲データと比較してデータ量が膨大となっている。したがって、現在利用されている通信回線の伝送能力では負担が大き過ぎ、ＤＶＤやＣＤなどといった記録媒体に予め背景映像データを記録し、これらを各カラオケ店舗に配布していた。また、記録媒体の容量も限られているため、曲数分だけ背景映像データを用意するのは効率的でなく、汎用性のある背景映像データを用意し、通常は、ジャンルが共通する複数の楽曲について同じ背景映像データを共用している。具体的には、楽曲データのヘッダ部分にその楽曲のジャンルデータを担持させ、このジャンルデータに対応した背景映像データを複数の候補から抽出し、ジャンルが共通する楽曲の演奏時に表示している。
【０００３】
さらに、最近のカラオケシステムでは、汎用性のある長時間分の背景映像が映像データベースに格納され、この格納されている長時間分の映像は、背景映像として演奏楽曲に合わせて適宜な区分が選択再生されるようになっている。その選択再生方法としては、長時間分の映像をその区分毎に映像区分識別子を付与して管理し、楽曲毎に再生すべき区分映像を当該映像区分識別子の順列でもって記述した背景映像の台本データを用いる手法が提案されている。この場合、演奏楽曲の台本データを参照したカラオケ演奏装置は、その台本通りの映像区分識別子を認識し、対応する区分映像を繋ぎ合わせて再生するのである。
【０００４】
従来、このような背景映像に関する技術も多々想到されてきた。例えば、特許文献１では、カラオケ楽曲の背景映像のカタログをＰＣに対して送信することで背景映像に関する情報を利用者に開放し、その選択に自由度を持たせる技術が開示されている。あるいは、特許文献２では、固有の背景映像が用意されていない既存の楽曲データを継続使用しながら、新たに固有の背景映像が追加された楽曲については、各楽曲に固有の背景映像を表示できるシステムが開示されている。また、特許文献３では、背景映像を構成する複数の区分映像を順番に指定するための台本データが設定されていなかった場合に、その楽曲と所定の分類属性が共通する台本データを代用する技術が開示されている。
【０００５】
【特許文献１】特開平１０−２０７４７６号公報
【特許文献２】特開２００３−９１２９２号公報
【特許文献３】特開２００３−２９５８７１号公報
【発明の開示】
【発明が解決しようとする課題】
【０００６】
しかしながら、カラオケ利用者の歌唱を喚起する動機付けの面では、このような従来技術では、通常、汎用性のある背景映像をジャンルデータに基づき使い回したり、台本データに基づき繋ぎ合わせて対処するため、利用者の背景映像への嗜好はあまり反映されず、積極的に歌唱を喚起することはできなかった。また、上記文献の中には、利用者が背景映像を選択できる技術も想到され、特に、アーティスト本人が出演しているような背景映像が選択できるとすれば、特定のアーティストを好む利用者にとっては、その嗜好を満たす好適なものではあるが、利用者自身が特別の操作をしなければならないのと共に、何時でも自由にその好みのアーティスト専用の背景映像を見られる気安さのため、かえって歌唱を喚起することには繋がらなかった。
【０００７】
そこで、本発明は、カラオケ利用者の歌唱を喚起する動機付けの面で、カラオケ楽曲の演奏時、個々の利用者が好むアーティストについて特別に用意された専用の背景映像を有効に活用できるカラオケシステムの提供を課題とする。
【課題を解決するための手段】
【０００８】
上記課題を鑑み、本発明者は、利用者ＩＤ毎に楽曲の歌唱履歴を記録し、任意の利用者が所定のアーティストの楽曲を予め設定された所定回数以上歌唱した場合に限り、当該利用者による当該アーティストのカラオケ楽曲の演奏時に、汎用性のある通常の背景映像データとは別に、特別に用意した当該アーティスト専用の背景映像データを抽出して表示させることで上記課題を解決できることを見出し、本発明のカラオケシステムを想到した。
【０００９】
すなわち、本発明の請求項１記載のカラオケシステムは、利用者を特定するための利用者ＩＤ識別手段と、利用者ＩＤ毎に楽曲の歌唱履歴を記録している利用者別歌唱履歴記録部と、汎用性のある通常の背景映像データを記録している第１映像記録部と、所定のアーティストについて特別に用意した専用の背景映像データを記録している第２映像記録部と、任意のカラオケ楽曲の演奏時、前記第１映像記録部または前記第２映像記録部の何れか一方の記録部から、その背景映像データを抽出して表示させるための背景映像データ抽出手段と、これらの手段を統括的に制御するための中央制御手段と、を具備したカラオケシステムであって、
前記背景映像データ抽出手段が、前記利用者別歌唱履歴に基づき、任意の利用者が所定のアーティストの楽曲を予め設定された所定回数以上歌唱した場合に限り、当該利用者による当該アーティストのカラオケ楽曲の演奏時に、前記第２映像記録部から、当該アーティストについて前記特別に用意した専用の背景映像データを抽出して表示させてなることを特徴とする。
【００１０】
さらに、本発明の請求項２記載のカラオケシステムは、請求項１記載のカラオケシステムにおいて、前記利用者別歌唱履歴記録部が、所定のカラオケ演奏装置にネットワーク接続されたカラオケホスト装置内に設置されてなることを特徴とする。
【発明の効果】
【００１１】
本発明の請求項１記載のカラオケシステムによれば、利用者ＩＤ毎に楽曲の歌唱履歴を記録し、任意の利用者が所定のアーティストの楽曲を予め設定された所定回数以上歌唱した場合に限り、当該利用者による当該アーティストのカラオケ楽曲の演奏時に、当該アーティストの特別に用意した専用の背景映像データを抽出して表示させることで、そのアーティストを好む当該利用者にとって、その条件を満たすことが動機付けとなり、もって、歌唱が喚起されるといった効果を奏する。
【００１２】
また、本発明の請求項２記載のカラオケシステムによれば、利用者別歌唱履歴記録部が所定のカラオケ演奏装置にネットワーク接続されたカラオケホスト装置内に設置されていることから、利用者毎の楽曲の歌唱履歴情報を、カラオケホスト装置に接続された如何なるカラオケ演奏装置からも採取でき、その回数条件に反映できると共に、如何なるカラオケ演奏装置であってもサービスを還元できるため、利用者への当該システム利用によるサービス面が大きく向上されるといった効果を奏する。
【発明を実施するための最良の形態】
【００１３】
以下、本発明のカラオケシステムにつき好適な実施例を挙げて説明するが、ここでは、本発明のカラオケシステムを組み込んだ、図１に示す、カラオケ演奏装置のブロック構成図と、図２に示す、利用者別歌唱履歴管理テーブルの概念的構成図に基づき詳述する。
【実施例１】
【００１４】
先ず、本実施例のカラオケシステム（１）は、図１に示すように、カラオケ演奏装置（Ｐ）内に組み込まれている。このカラオケ演奏装置（Ｐ）は、主に本発明のカラオケシステムを含め、装置全体を統括的に制御する中央制御手段（２）と、これに接続された各種機器にて構成されている。すなわち、この中央制御手段（２）には、カラオケホスト装置との通信を制御するための通信制御手段（１３）、リモコン装置（Ｒ）の利用者インタフェイスからの操作信号を制御するための操作制御手段（１４）、そして、本発明における背景映像データ抽出手段（１６）などを内蔵して制御すると共に、ハードディスク（３）、ＲＡＭ（４）、音源（６）、ミキサ（７）、サウンドシステム（７）、ＰＣＭデコーダ（９）、ＭＰＥＧデコーダ（１１）、合成回路（１２）、そして、利用者ＩＤ認識手段であるＩＤカード読み取り／書き込み装置（５）などが接続されている。
【００１５】
ここで、カラオケ演奏装置（Ｐ）の構成要素について少々詳述する。先ず、音源（６）は、中央制御手段（２）が実行するシーケンサ（１５）における楽曲シーケンサの処理によって入力された演奏データに応じて楽音信号を形成する。形成された楽音信号はミキサ（７）に入力され、このミキサ（７）は、音源（６）が発生した複数の楽音信号やカラオケマイク（Ｍ）と、Ａ／Ｄコンバータ（１０）を介して入力された利用者の歌唱音声信号を適当なバランスでミキシングする。ミキシングされたデジタル音声信号はサウンドシステム（７）に入力される。このサウンドシステム（７）はパワーアンプを備え、入力されたデジタル信号をアナログ信号に変換して増幅し、スピーカ（Ｓ）から楽音と歌唱音声を放音する。
【００１６】
シーケンサ（１５）は楽曲コードで識別される演奏データをハードディスク（３）に記録されている楽曲コード（１７）に紐付けされた演奏データ（１８）を読み出す。このシーケンサ（１５）は主に楽曲シーケンサおよび歌詞シーケンサからなっており、楽曲シーケンサは演奏データ中の演奏データトラック、ガイドメロディトラックなどのトラックデータを読み出し、このデータで音源（６）を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路（１２）に出力する。
【００１７】
ハードディスク（３）に記録されている背景映像データ（１９）は、ＭＰＥＧ形式にエンコードされており、中央制御手段（２）が実行する背景映像再生手段（図示省略）により再生処理を行い、これを読み出してＭＰＥＧデコーダ（１１）に入力する。このＭＰＥＧデコーダ（１１）は入力されたＭＰＥＧデータをＮＴＳＣの映像信号に変換して合成回路（１２）に入力し、この合成回路（１２）はこの背景映像の映像信号上に歌詞テロップや採点表示などのＯＳＤを合成し、合成された映像信号は表示手段（Ｄ）に表示される。  そして、本発明では、背景映像データ（１９）の記憶部は、汎用性のある通常の背景映像データを記録している第１映像記録部（１９ａ）と、所定のアーティストについて特別に用意した専用の背景映像データを記録している第２映像記録部（１９ｂ）とに区分されている。
【００１８】
先ず、第１映像記録部（１９ａ）の背景映像データについて述べる。１曲分のカラオケ楽曲データのヘッダ部分には、伴奏音楽の出力期間に歌詞字幕と組み合わせて表示すべき背景映像データを直接的または間接的に指定する映像指定データが含まれ、ある楽曲の演奏時、本発明の所定の条件を満たしていない通常状態では、その楽曲に付属の映像指定データに基づき、データベース化された第１映像記録部（１９ａ）から、該当する背景映像データを抽出されて表示される。この仕組みにより、楽曲の曲調や詞の内容にふさわしい背景映像を表示するようにしている。なお、ある楽曲の演奏時、その楽曲付属の映像指定データにより必ず決まった背景映像が表示される仕組みと、同一楽曲でも演奏する毎に表示される背景映像が変わる仕組みとがある。
【００１９】
さらに、この第１映像記録部（１９ａ）には繋ぎ合わせて編集するための短時間の映像素材（区分映像）も分散して記録されている。この第１映像記録部（１９ａ）では、２系統の映像再生手段（図示省略）が交互に交代で再生処理と再生準備とを受け持つことで、この区分映像をスムーズに繋ぎ合わせているが、このように短時間の区分映像を繋ぎ合わせて編集する根拠となるのが台本データである。この台本データは１楽曲の演奏中で使用される区分映像を映像区分識別子の順列でもって指定したものであり、カラオケ楽曲毎にその楽曲番号によって対応付けられると共に、その内容を表す台本属性を絡めて格納されている。
【００２０】
次に、第２映像記録部（１９ｂ）の背景映像データについて述べる。この背景映像データとは、上記通常の背景映像データのように、汎用性のある背景映像をジャンルデータに基づき使い回したり、台本データに基づき繋ぎ合わせて対処するものではなく、所定のアーティストについて特別に用意した専用のもので、アーティストに関連する個々の楽曲専用、あるいはアーティストに関連する楽曲についてのみ使い回しができるものである。具体的には、アーティスト本人のプロモーションビデオあるいはその特別アレンジ映像、アーティスト本人のプライベート映像、楽曲歌詞の雰囲気に合わせたアーティスト本人のパフォーマンス映像など、通常では鑑賞できない好きな利用者にとってプレミアム的な映像として仕上げたものである。
【００２１】
この背景映像データも１曲分のカラオケ楽曲データのヘッダ部分に、上記第１映像記録部（１９ａ）の映像指定データとは識別可能に、別の第２映像記録部（１９ｂ）の映像指定データを含ませている。そして、背景映像データ抽出手段（１６）は、所定の条件を満たしたか否かにより、それぞれの映像指定データを個別に採用し、条件を満たした場合に限り、データベース化された第２映像記録部（１９ｂ）から背景映像データを抽出して表示させる。
【００２２】
さらに、ハードディスク（３）には利用者ＩＤ毎に楽曲の歌唱履歴を記録している利用者別歌唱履歴記録部（Ｆ１）が設けられており、利用者ＩＤ（２０）毎に紐付けされた歌唱履歴管理テーブル（Ｔ１）が形成されている。図２の歌唱履歴管理テーブルの概念的構成図が示すように、この歌唱履歴管理テーブル（Ｔ１）は、利用者を特定するための「利用者ＩＤ」フィールド（ｆ１）と、当該利用者が歌唱した日時を示す「歌唱日時」フィールド（ｆ２）と、歌唱した楽曲を特定するための「楽曲コード」フィールド（ｆ３）と、その楽曲に関連するアーティストを特定するための「アーティストＩＤ」フィールド（ｆ４）などから主に構成されている。
【００２３】
そして、当該利用者が歌唱する毎、適宜のタイミングにて、アーティスト別にその歌唱回数を累積し、楽曲の予約登録時あるいは演奏直前に、アーティストを特定するための「アーティストＩＤ」フィールド（ｆ５）と、その歌唱回数を示す「歌唱回数」フィールド（ｆ６）からなるテーブルが仮想的に形成され、図１に示す、中央制御手段（２）は、この仮想テーブルをもって、所定の条件を満たしたか否かを判断し、背景映像データ抽出手段（１６）に対して、条件を満たしていない通常の場合には第１映像記録部（１９ａ）から、条件を満たしている場合には第２映像記録部（１９ｂ）から、それぞれ該当の背景映像データを抽出するように制御する。なお、本発明では、この仮想テーブルは必ずしも必要でなく、所定のアルゴリズムで直接的に計算処理しても構わない。
【００２４】
以下、図３に示す、カラオケ演奏装置が付帯するリモコン装置の外観斜視図と、図４に示す、利用者別ログイン・ログアウト指示のインタフェイス表示画面と、図５に示す、本発明のカラオケシステムのシステムフロー図に基づき、利用者の操作手順および本発明のカラオケシステムについて、その動作上の仕組みについて説明する。
【００２５】
先ず、カラオケ利用者が操作するリモコン装置（Ｒ）について説明する。図３の（イ）に示すように、その正面には液晶ディスプレイ（ＬＣＤ；Ｒａ）とタッチセンサ（Ｒｂ）とを積層したタッチパネルを主体とした利用者インタフェイスが備えられている。その内蔵するフラッシュメモリ（図示省略）にはカラオケ演奏装置に蓄積されているものと同様の目次情報の他、カラオケルームサービスに対応した楽曲についての各種情報が蓄積されている。リモコン制御部（図示省略）にはＣＰＵやＲＡＭ、ＲＯＭ、ビデオＲＡＭなどが含まれ、画像情報や文字情報をビデオＲＡＭにビットマップ展開し、そのビットマップデータに基づき、ＬＣＤドライバを駆動してタッチパネルに表示する。
【００２６】
本実施例のリモコン装置（Ｒ）はその内蔵２次電池に充電するための専用架台を必要とするが、この専用架台には、充電手段の他、利用者ＩＤを識別し、当該利用者のログインを識別するための利用者ＩＤ識別手段が付帯されている。そして、利用者ＩＤを識別する際、このリモコン装置（Ｒ）を前述した専用架台に装着されていれば、図３の（ロ）に示すように、その背面の下方所定部にはＬＡＮポート（Ｒｃ）が設けられており、ＬＡＮ接続ケーブルを介してカラオケ演奏装置に利用者ＩＤが送信される。本実施例の利用者ＩＤ識別手段は、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいは、パスワードの入力装置や指紋や声紋などの生体識別機能に依る機構の利用者ＩＤ識別手段を利用しても構わない。
【００２７】
利用者が所望する楽曲をタッチセンサ（Ｒｂ）への入力によって予約登録する際、本発明では、楽曲を予約登録した利用者ＩＤの識別が必要となる。図４は、利用者別ログイン・ログアウト指示のインタフェイス表示画面であり、リモコン装置の液晶ディスプレイとタッチセンサとを積層したタッチパネルの表示画面を示している。このタッチパネルが利用者別にログインとログアウトを指示するための利用者インタフェイスとなっており、この表示画面には、利用者別顔写真付きアイコン列（２１）やカラオケシステムへのログインをするための「ログイン」アイコン（２２）、ログアウトをするための「ログアウト」アイコン（２３）などが設けられている。
【００２８】
このリモコン装置を前述した専用架台に装着した状態で、先ず、「ログイン」アイコン（２２）を選択した後に、当該専用架台に付帯したＩＤカードの読み取り／書き込み装置（利用者ＩＤ識別手段）に自らのＩＤカードを装填することにより、これに紐付けされた利用者ＩＤが識別されると、同時にカラオケシステムへのログインが識別される。ログインが識別されると、カラオケホスト装置に予め登録された利用者の顔写真、あるいは予め登録されていない場合、デジタルカメラ機能を使って撮影した利用者の顔写真を新たに登録して、順次、所定の利用者別顔写真付きアイコン（２１ａ）を利用者毎に掲載された利用者識別インタフェイスが作成される。
【００２９】
このように、この利用者識別インタフェイスは、主にカラオケ楽曲の選曲を誰が行ったかを判断するために利用されており、このインタフェイスを利用すれば、所望する楽曲の予約登録の際、利用者は自らの顔写真付きアイコン（２１ａ）を選択すれば、その予約登録が当該利用者によるものであると判断される。具体的には、楽曲選曲の専用画面を表出させ、利用者は、先ず、自らの顔写真付きアイコン（２１ａ）を選択した後に楽曲を表示させ、表示された楽曲の中から所望する楽曲を選択すれば、その楽曲を当該利用者が予約登録したものと判断される。なお、この操作手順についての限定はなく、例えば、楽曲選択と自らのアイコン選択の順序を逆するように構成しても構わない。
【００３０】
次に、図５に示すシステムフロー図に基づき、本発明のカラオケシステムについて、その動作上の仕組みについて説明する。利用者は先ず、利用者ＩＤ識別手段をもって、自らのＩＤカードの識別（Ｓ１）により、カラオケシステムへログインする（Ｓ２）。ログインして利用者ＩＤが記録され、利用者は所望する楽曲を選曲する際、上記利用者識別インタフェイスをもって利用者ＩＤを伴って楽曲の予約登録を行う（Ｓ３）。予約登録が行われると、中央制御手段はその楽曲に関連するアーティストの当該利用者による歌唱回数を確認して、予め設定された回数（例えば３０曲）以上か否かを判断し（Ｓ４）、当該予約楽曲の演奏（Ｓ５）の際、背景映像データ抽出手段に対し、所定回数未満であれば第１映像記録部から該当の背景映像データを抽出するように制御して当該通常の背景映像を表示させる（Ｓ６）。一方、所定回数以上であれば第１映像記録部から該当の背景映像データを抽出するように制御して当該専用の背景映像を表示させる（Ｓ７）。
【００３１】
楽曲の演奏が終了すると、その利用者ＩＤと歌唱した楽曲に基づき、利用者別歌唱履歴記録部には楽曲の歌唱履歴が記録される（Ｓ８）。そして、歌唱履歴が記録される毎、当該利用者による当該楽曲に関連するアーティストの歌唱回数を加算する（Ｓ９）。この一連の流れは、利用者がシステム利用を止めるまで、すなわち、当該利用者ＩＤがシステムからログアウトされる（Ｓ１０）まで繰り返えされる。
【００３２】
このように、本実施例では、利用者別歌唱履歴記録部を各カラオケ演奏装置内に備えるだけで、各カラオケ演奏装置のみが、利用者毎に歌唱した楽曲の履歴管理をするようなカラオケシステムを構成しているが、本実施例では、カラオケホスト装置にて歌唱履歴を集中管理し、このカラオケホスト装置に接続された如何なるカラオケ演奏装置からも歌唱履歴を収集すると同時に、この歌唱履歴に基づき、接続された如何なるカラオケ演奏装置にても同様なサービスを利用者が受けられるようにも構成してもよい。
【実施例２】
【００３３】
以下、図６に示す、カラオケホスト装置を含めた本発明のカラオケシステムの全体構成図と、図７に示す、カラオケホスト装置のブロック構成図に基づき、本発明の請求項２記載の発明について詳述する。
【００３４】
図６に示すように、本実施例のカラオケシステム（１）は、主に、カラオケボックスの店舗内に設置された複数のカラオケルーム（Ｋ，Ｋ…）のそれぞれに備えられた、利用者識別インタフェイスを備えたリモコン装置（Ｒ，Ｒ…）を付帯したカラオケ演奏装置（Ｐ，Ｐ…）と、これらと店舗内ＬＡＮ上のルータから、ＡＤＳＬやＩＳＤＮといった通信回線（Ｎ）を介してインターネット（Ｎｉ）におけるカラオケ事業者が管理するＶＰＮ（Virtual Private Network）にて接続された、通信カラオケシステム用のカラオケホスト装置（Ｈ）からなる。各カラオケ演奏装置（Ｐ）は、ネットワークインタフェイスを介して店舗ＬＡＮおよびＶＰＮに接続してカラオケホスト装置（Ｈ）と交信する。例えば、当該ホスト装置（Ｈ）から送付されたカラオケデータを受け取ってカラオケデータベースの内容を変更したり、カラオケ演奏装置（Ｐ）側にて収集される演奏ログなどの各種情報を当該ホスト装置（Ｈ）に送信したりする。一方、カラオケホスト装置（Ｈ）は、各カラオケ演奏装置（Ｐ）に向けて新譜楽曲についてのカラオケデータ、台本データ、目次情報などを適時に配信したりする。
【００３５】
具体的には、本実施例では、店舗内に１００ＢＡＳＥ−Ｔ規格のEthernet（登録商標）によるＬＡＮが敷設されており、このＬＡＮ上の各カラオケ演奏装置（Ｐ）はルータを介してインターネット（Ｎｉ）上のＶＰＮからカラオケホスト装置（Ｈ）に接続している。また、ＬＡＮ上のコンピュータ間の通信にもＴＣＰ／ＩＰが採用されており、ルータは、その内蔵するＤＨＣＰ（Dynamic Host Configuration Protocol）サーバ機能によって、ＬＡＮに接続されている各カラオケ演奏装置（Ｐ）にＩＰアドレスを割り当て、各演奏装置（Ｐ）のＭＡＣ（Media Access Control）アドレスとＩＰアドレスとを対応付けしたテーブルを作成して記憶している。
【００３６】
図７に示すように、本実施例におけるカラオケホスト装置（Ｈ）は、装置全体を統括的に制御する中央制御手段（３１）や、各種情報を記録するためのハードディスク（３２）などを具備し、各カラオケ演奏装置（Ｐ）から、適宜のタイミングにて利用者ＩＤが付帯された演奏ログが転送され、通信制御インタフェイス（３０）を介して、ハードディスク（３２）に設けられた利用者別歌唱履歴記録部（Ｆ２）に利用者毎の歌唱履歴が管理される。そして、前述したカラオケ演奏装置におけるのと同様に、当該歌唱履歴記録部（Ｆ２）には利用者ＩＤ（２０）を紐付けして利用者別歌唱履歴管理テーブル（Ｔ２）が設けられており、このホスト装置に接続された如何なるカラオケ演奏装置からも、また、如何なるカラオケ演奏装置へもその履歴情報を採取および還元ができるように構成されている。
【００３７】
以上、詳述したように、本発明のカラオケシステムによれば、利用者ＩＤ毎に楽曲の歌唱履歴を記録し、任意の利用者が所定のアーティストの楽曲を予め設定された所定回数以上歌唱した場合に限り、当該利用者による当該アーティストのカラオケ楽曲の演奏時に、当該アーティストの特別に用意した専用の背景映像データを抽出して表示させることで、そのアーティストを好む当該利用者にとって、その条件を満たすことが動機付けとなり、もって、歌唱が喚起される。
【図面の簡単な説明】
【００３８】
【図１】カラオケ演奏装置のブロック構成図。
【図２】歌唱履歴管理テーブルの概念的構成図。
【図３】カラオケ演奏装置が付帯するリモコン装置の外観斜視図。
【図４】利用者別ログイン・ログアウト指示のインタフェイス表示画面。
【図５】本発明のカラオケシステムのシステムフロー図。
【図６】カラオケホスト装置を含めた本発明のカラオケシステムの全体構成図。
【図７】カラオケホスト装置のブロック構成図。
【符号の説明】
【００３９】
１  カラオケシステム
２，３１  中央制御手段
３，３２  ハードディスク
５  利用者ＩＤ識別手段
１６  背景映像データ抽出手段
１９  背景映像データ
１９ａ  第１映像記録部
１９ｂ  第２映像記録部
２０  利用者ＩＤ
Ｒ  カラオケリモコン装置
Ｐ  カラオケ演奏装置
Ｈ  カラオケホスト装置
Ｆ１，Ｆ２  歌唱履歴記録部
Ｔ１，Ｔ２  利用者別歌唱履歴管理テーブル
【図２】
2006154275.tif 000003
【図３】
2006154275.tif 000004
【図４】
2006154275.tif 000005
【図５】
2006154275.tif 000006
【図６】
2006154275.tif 000007
【図７】
2006154275.tif 000008
【図１】
2006154275.tif 000009